(57)【要約】      （修正有）【課題】ランドセルを背負ったときに左右背負いベルトの横幅が広がるのを防止して背負い易くするランドセル用補助ベルトを提供する。【解決手段】補助ベルトは、合成繊維素材を帯状に形成した一対のベルト本体９ａ、９ｂの一端に、ランドセルの背負いベルト３の下部に設けた細幅のベルト連結部６に狭着固定する装着部１３を一体または別体に形成し、ベルト本体の他端に雌雄一対で着脱可能に形成した接続具３５を取付けてなる。ベルト連結部６の先端を装着部１３の肩ベルト孔の上方から挿入して装着部を肩当部方向にズリ上げてベルト連結部の下方に狭着固定し、次いで、ベルト本体の長さを学童の胸囲にあわせて調節部３８で調整した後、接続具３５を互いに連結する。【選択図】図２
0003195552.tif 000002
【実用新案登録請求の範囲】
【請求項１】
合成繊維素材を帯状に形成した一対のベルト本体９ａ、９ｂの一端に、ランドセル１の背負いベルト３、３の下部に設けた細幅のベルト連結部６、６に狭着固定する装着部１３、１３、５０、５０を一体または別体に形成し、前記ベルト本体９ａ、９ｂの他端に、雌雄一対で着脱可能に形成した接続具３５をそれぞれ取付けてなることを特徴とするランドセル用補助ベルト。
【請求項２】
前記装着部１３は、ベルト本体９ａ、９ｂと別体に形成した本体１５の中央に背負いベルト３のベルト連結部６を挿通する肩ベルト孔１６を形成し、一側に前記ベルト本体９ａ、９ｂの一端を連結する連結孔２５を設けてなることを特徴とする請求項１記載のランドセル用補助ベルト。
【請求項３】
前記装着部１３の本体１５は、任意輪郭形状で表面にキャラクター図形や光に反射する反射板、または、任意形状の切り抜き模様などの表示部２２を設けてなることを特徴とする請求項２記載のランドセル用補助ベルト。
【請求項４】
前記ベルト本体９ａ、９ｂにそれぞれ連結する雌雄一対の接続具３５は、一方のベルト本体９ａの他端に該ベルト本体の長さを調節する調節部３８を介して設けた雄部片３６と、他方のベルト本体９ｂの他端に連結した雌部片４０とを、着脱可能に連結してなることを特徴とする請求項１記載のランドセル用補助ベルト。
【請求項５】
前記装着部５０は、前記背負いベルト３のベルト連結部６に取付ける輪状の環部５１を前記ベルト本体９ａ、９ｂの端部に連続して一体に形成してなり、前記装着部５０をなす環部５１の径を調整する調節部４８を、前記ベルト本体９ａ、９ｂの装着部５０の一側寄りに設けてなることを特徴とする請求項１記載のランドセル用補助ベルト。
【請求項６】
合成繊維素材を帯状に形成した前記ベルト本体９ａ、９ｂの一端に、背負いベルト３のベルト連結部６に取付ける環部５１を有した装着部５０を一体に形成し、前記ベルト本体９ａ、９ｂの他端に、雌雄一対で着脱可能に形成した接続具３５をそれぞれ取付け、該接続具と前記装着部５０との間のベルト本体９ａ、９ｂに前記環部５１の径を調整する調節部４８、４８をそれぞれ設けてなることを特徴とするランドセル用補助ベルト。
【請求項７】
前記ベルト本体９ａ、９ｂにそれぞれ連結した雌雄一対の接続具３５は、一方のベルト本体９ａの他端に該ベルト本体の長さを調節する調整部５６を介して雄部片３６を連結し、他方のベルト本体９ｂにの他端に雌部片４０を取付けてなることを特徴とする請求項６記載のランドセル用補助ベルト。
【考案の詳細な説明】
【技術分野】
【０００１】
本考案は、学童が使用するランドセルの背負いベルトが、歩行中にランドセルの重さで左右に開くのを防止して背負い易くするランドセルの改良に関する。
【背景技術】
【０００２】
従来、小学生が使用するランドセルは、教科書や副教材、さらには体操具などを収容するためかなりの重量となる。特に１年生から３年生までの低学年の学童にとって、重いランドセルを背負っての通学はかなりの負担である。
【０００３】
一方、ランドセルに取付けてある背負いベルトは、学童の身長にあわせてある程度長さを調節することが可能に形成してあるが、身長が低い低学年、特に小柄な学童は背負いベルトを調整しても重いランドセルを背負うとランドセルが後方へずれたり、背負いベルトの肩当て部が学童の肩から外れたりして広がりやすい。また、背負いベルトが広がると低学年の学童にとってランドセルの重心が移動するため、より重くなって背負いにくくなる。さらに、背負いベルトが広がった状態での歩行は、ランドセルが左右に揺れて歩きにくくて疲れやすい。さらには、歩行中にランドセルが安定しないと身体が左右にブレて歩行が危険であるなどの多くの問題点を有している。
【０００４】
そのため、ランドセルの背負いベルトが広がるのを防止するため、互いの背負いベルトの間に広がり防止用の連結ベルトを取付けてランドセルを背負い易くしているものが知られている（例えば、特許文献１、２参照）。
【先行技術文献】
【特許文献】
【０００５】
【特許文献１】実用新案登録第３１５２９１７号公報
【特許文献２】実用新案登録第３１６９６５３号公報
【０００６】
これらの連結ベルトは、ランドセルの背負いベルトに取付ける場合、それぞれベルト部の先端に着脱可能な雌雄一対の連結具を取付け、他端を背負いベルトの任意個所に巻きつける装着部を設けて使用している。
【０００７】
したがって、連結ベルトの装着部を背負いベルトへ取付ける場合、背負いベルトへの巻きつけが弱いと、使用中に連結ベルトが下がって背負いベルトが広がる恐れがある。また、背負いベルトに連結ベルトを巻きつけてあるだけであるため、使用中に外れたりするおそれがある。さらには、連結ベルトの装着部は、背負いベルトの任意個所に巻きつけてあるだけであるため簡単に取り外すことが可能であるため、盗難されやすいなどの問題点を有している。
【考案の概要】
【考案が解決しようとする課題】
【０００８】
そこで、本考案は、背負いベルトに取付ける広がり防止用の連結ベルトが、使用中にズリ下がったり、外れたりさらには盗難にあうことなく安全で確実に使用することができるランドセルの背負いベルトに取付ける補助ベルトを提供することを目的とする。
【課題を解決するための手段】
【０００９】
上記課題を達成するため、請求項１の考案は、合成繊維素材を帯状に形成した一対のベルト本体９ａ、９ｂの一端に、ランドセル１の背負いベルト３、３の下部に設けた細幅のベルト連結部６、６に狭着固定する装着部１３、１３、５０、５０を一体または別体に形成し、前記ベルト本体９ａ、９ｂの他端に、雌雄一対で着脱可能に形成した接続具３５をそれぞれ取付けてなることを特徴とする。また、前記装着部１３は、ベルト本体９ａ、９ｂと別体に形成した本体１５の中央に、背負いベルト３のベルト連結部６を挿通する肩ベルト孔１６を形成し、一側に前記ベルト本体９ａ、９ｂの一端を連結する連結孔２５を設けてなることを特徴とする。さらに、前記装着部１３の本体１５は、任意輪郭形状で表面にキャラクター図形や光に反射する反射板、または、任意形状の切り抜き模様などの表示部２２を設けてなることを特徴とする。さらにはまた、前記ベルト本体９ａ、９ｂにそれぞれ連結する雌雄一対の接続具３５は、一方のベルト本体９ａの他端に該ベルト本体の長さを調節する調節部３８を介して設けた雄部片３６と、他方のベルト本体９ｂの他端に連結した雌部片４０とを、着脱可能に連結してなることを特徴とする。また、前記装着部５０は、前記背負いベルト３のベルト連結部６に取付ける輪状の環部５１を前記ベルト本体９ａ、９ｂの端部に連続して一体に形成してなり、前記装着部５０をなす環部５１の径を調整する調節部４８を、前記ベルト本体９ａ、９ｂの装着部５０の一側寄りに設けてなることを特徴とする。
【００１０】
したがって、左右の背負いベルト３を連結する補助ベルト８の取付けは、ベルト連結部６の先端を装着部１３の肩ベルト孔１６から挿通して肩当て部５の下部に狭着固定し、さらに下ベルトとベルト連結部６を連結して背負いベルト３を形成する。そのため、装着部１３が背負いベルト３から抜けないので脱落や紛失を防止することができる。次いで、装着部１３のベルト孔１６は、内径をベルト連結部６の幅とほぼ同じ形成してある。そのため、背負いベルト３への挿入が窮屈ではあるが、ベルト孔１６の内径をベルト連結部６の幅に合わせる調整作業が不要であり、且つ、強固に背負いベルトと密着するため装着部１３がずれ落ちるおそれがない。装着部１３の本体１５に設けた表示部２２に学童が興味を引く斬新なデザインや反射板を設けることにより学童の安全と、ランドセルの購買意欲を増進させることができる。さらに、ベルト本体９ａ、９ｂに取付けた接続具３５を学童の胸元にワンタッチで連結することができるので、左右の背負ベルト３の幅が広がらず適正な幅を保つことができる。したがって、補助ベルト８を背負いベルト３に取付けたことにより、歩行中のランドセルの揺動を防止することができ、また、低学年の学童でも疲れることなくランドセルを背負うことができる。
【００１１】
請求項６の考案は、合成繊維素材を帯状に形成した前記ベルト本体９ａ、９ｂの一端に、背負いベルト３のベルト連結部６に取付ける環部５１を有した装着部５０を一体に形成し、前記ベルト本体９ａ、９ｂの他端に、雌雄一対で着脱可能に形成した接続具３５をそれぞれ取付け、該接続具と前記装着部５０との間のベルト本体９ａ、９ｂに前記環部５１の径を調整する調節部４８、４８をそれぞれ設けてなることを特徴とする。また、前記ベルト本体９ａ、９ｂにそれぞれ連結した雌雄一対の接続具３５は、一方のベルト本体９ａの他端に該ベルト本体の長さを調節する調整部５６を介して雄部片３６を連結し、他方のベルト本体９ｂの他端に雌部片４０を取付けてなることを特徴とする。
【００１２】
したがって、装着部５０の環部５１を背負いベルト３のベルト連結部６の幅に調節部４８で調節した後、ベルト連結部６の先端を装着部５０の上方から挿通して狭着固定し、次いで、ベルト連結部６と下ベルトを連結して背負いベルト３を形成したことにより、補助ベルト８が背負いベルト３から抜け落ちる心配がない。また、装着部５０の環部５１を調節部４８で調節可能に形成したことにより、どのメーカーの背負いベルトにも取付けることができる。さらに、ランドセル１の背負いベルト３に補助ベルト４５を取付けることにより、左右の背負いベルト３の幅が広がるのを防止して歩行中のランドセルの揺動を防止することができ、且つ、低学年の学童でも疲れることなくランドセルを背負うことができる。
【図面の簡単な説明】
【００１３】
【図１】本考案に係る補助ベルトをランドセルの背負いベルトに取付けた使用状態を示す正面図である。
【図２】背負いベルトに取付けた補助ベルトの要部拡大正面図である。
【図３】装着部の拡大正面図である。
【図４】装着部の中央横断面図である。
【図５】装着部の中央縦断面図である。
【図６】第２装着部の正面図である。
【図７】第３装着部の正面図である。
【図８】ベルト本体に取付けた接続具の要部拡大正面図である。
【図９】背負いベルトに取付けた第２の補助ベルトの使用状態を示す正面図である。
【図１０】第２の補助ベルトの装着部を示す一部破断した拡大平面図である。
【考案を実施するための形態】
【００１４】
本考案の実施の形態を図面に基づいて説明すると、図１は本考案に係る補助ベルトをランドセルの背負いベルトに取付けた使用状態を示す正面図、図２は背負いベルトに取付けた補助ベルトの拡大正面図、図３は装着部の拡大正面図、図４は装着部の中央横断面図、図５は装着部の中央縦断面図である。この補助ベルト８は、図１、２に示すごとく、合成繊維素材を帯状に形成した一対のベルト本体９ａ、９ｂと、該ベルト本体の一端にランドセル１の背負いベルト３に狭着固定する硬質合成樹脂材により形成した装着部１３と、前記ベルト本体の他端に硬質合成樹脂材により形成した雌雄一対で着脱可能に形成した接続具３５とにより構成してある。
【００１５】
前記一対のベルト本体９ａ、９ｂは、合成繊維素材を所定幅（１５ｍｍから３０ｍｍ、好ましくは、２０ｍｍ）に形成し、ベルト本体９ａは、長尺で１３０ｍｍから１８０ｍｍ、好ましくは、１５０ｍｍに形成し、ベルト本体９ｂは、短尺な７０ミリから１２０ｍｍ、好ましくは、９０ｍｍの長さに形成してある。
【００１６】
前記装着部１３は、図３〜５に示すごとく、硬質合成樹脂材からなる本体１５の中央垂直方向に肩ベルト孔１６を形成し、前記本体１５の一側にベルト本体９ａ、９ｂの一端をそれぞれ連結するベルト孔２５を設けてある。また、前記ベルト孔２５には、装着部１３を背負いベルト３のベルト連結部６に挿通する前にベルト本体９ａ、９ｂの一端をそれぞれ挿通して連結してある。
【００１７】
前記装着部１３の本体１５の正面には、図３に示すごとく、自動車のライトを反射する反射板、または、各種の図形やアニメのキャラクターを表記可能に形成した表示部２２を設け、さらには、本体１５の輪郭形状を学童が興味を引く斬新なデザインにすることにより、ランドセルの購買意欲を増進させることができる。
【００１８】
図６、７は前記装着部１３を構成する本体１５の他の実施例を示したもので、図６に示す第２装着部１３ａは、本体１５ａの輪郭を多角形に形成し、表面の第１表示部２２ａに複数設けた切抜孔の大きさを違えて形成することにより、本体１５ａの内側に設けた肩ベルト孔１６ａに挿通した背負いベルト３の表面側を模様状に見せることで、学童が補助ベルト８に興味を持ちランドセルの購買意欲を増進させることができる。
【００１９】
図７に示す第３装着部１３ｂは、本体１５ｂの輪郭形状を、平行に位置した垂直辺の一方を長く他方を短くし、上辺を水平で下辺を大きく湾曲させた斬新なデザインの輪郭形状にし、表面に設けた第２表示部２２ｂの切抜孔を大きな三角形状に切り抜くことにより、本体１５ｂの肩ベルト孔１６ｂに挿通した背負いベルト３の表面側を大きく見せることにより、学童が補助ベルト８に興味を持ちランドセルの購買意欲を増進させることができる。
【００２０】
前記接続具３５は、図８に示すごとく、公知の連結具で、雌雄一対の雄部片３６と雌部片４０とからなり、ベルト孔２５に一端を連結したベルト本体９ａの他端に、該ベルト本体の長さを調節する長さ調整部３８を介して雄部片３６を取付け、同じくベルト孔２５に一端を連結したベルト本体９ｂの他端に雌部片４０を連結してある。
【００２１】
接続具３５の連結は、雄部片３６の左右に設けた弾発力を有する係止爪部３９と、雌部片４０に設けた前記係止爪部３９を係止する爪受部４１とを着脱可能に嵌合して連結する。
【００２２】
補助ベルト８を背負いベルト３に取付ける場合、あらかじめ装着部１３の本体１５に設けたベルト孔２５にベルト本体９ａ、９ｂの一端をそれぞれ挿通して連結してある。次いで、背負いベルト３を構成するベルト連結部６をランドセルの下面に取付けた下ベルト(図示せず)と連結する前に、前記ベルト連結部６の先端を装着部１３の上方から肩ベルト孔１６に挿通して幅広になる肩当部５の下部に狭着固定する。その際、装着部１３に設けた肩ベルト孔１６の内径はベルト連結部６とほぼ同じ幅に形成してあるため、肩当部５の下部までズラしながら挿入するのは窮屈であるが、一度挿入すると容易に引く抜くことが困難になるように形成してある。
【００２３】
次いで、ランドセル１を背負う学童の肩幅にベルト本体９ａに設けた長さ調整部３８でベルト本体９ａ、９ｂの長さを調整し、接続具３５の雄部片３６と雌部片４０を互いに嵌合して連結する。したがって、補助ベルト８を使用する学童の胸囲に調整部３８で調整して学童の胸元に位置させることにより、安定した幅を有する背負いベルト３にしてランドセルを背負うことができる。
【００２４】
図９、１０は補助ベルトの第２の実施の形態を示す第２の補助ベルト４５で、合成繊維素材を帯状に形成した一対のベルト本体９ａ、９ｂの一端延長線上で輪状にした環部５１を有した装着部５０を形成し、該装着部の一端でベルト本体９ａ、９ｂに前記環部５１の内径を調整する調節部４８をそれぞれ設け、前記ベルト本体９ａ、９ｂの他端に雌雄一対で着脱可能に形成した接続具３５ａを取付けてある。
【００２５】
前記ベルト本体９ａ、９ｂに取付けた接続具３５ａは、前記補助ベルト８に取付けた接続具３５と同一であるため、ここでの説明を省略する。
【００２６】
第２の補助ベルト４５は、雄部片５５側のベルト本体９ａに長さを調整する調整部５６を設け、使用する学童の胸囲にあわせて調整可能に形成してある。
【００２７】
また、第２の補助ベルト４５の取付けは、装着部５０の環部５１の内径を調節部４８で所定内径に調節した後、背負いベルト３のベルト連結部６の先端から環部５１の上方に挿通して幅広になる肩当て部５の下部に狭着固定した後、ベルト連結部６と下ベルトを連結して背負いベルト３を形成する。したがって、背負いベルト３から第２の補助ベルト４５が抜け落ちたり盗難にあう恐れはない。また、装着部５０をベルト本体９ａ、９ｂと一体に形成したことにより、構造が簡単であることから製造コストが安価で経済的である。
【００２８】
以下本考案の実施の形態の作用について説明すると、ランドセル１の背負いベルト３に補助ベルト８を取付ける場合、背負いベルト３を構成するベルト連結部６の下端を装着部１３に設けた肩ベルト孔１６に上方から挿入して肩当部５方向にズリ上げて移動させる。装着部１３は、細幅のベルト連結部６から幅広になる肩当部５の下端で進入を阻止され停止することにより背負いベルト３に狭着固定される。次いで、ベルト調整部６と下ベルトを連結して背負いベルト３を形成する。したがって、装着部１３が背負いベルト３から抜け落ちるおそれがない。
【００２９】
次いで、ベルト本体９ａ、９ｂの長さを、ベルト本体９ａに取付けた長さ調整部３８でランドセルを背負う学童の肩幅と背負いベルトの左右幅を適正幅に調節した後、接続具３５の雄部片３６と雌部片４０を嵌合させて連結する。したがって、学童の胸元で適正な位置に補助ベルト８を取付けることができるので、背負いベルト３が幅方向に広がるのを防止して快適にランドセルを背負うことができる。
【００３０】
さらにはまた、補助ベルト８は、装着部１３を構成する本体１５の輪郭形状や表示部２２に、任意形状の図柄や人気漫画のキャラクターを表記して他のランドセルと差別化を図ることにより、ランドセルの所有者を明確にすることができ、また、学童が補助ベルトに興味を持つことにより、ランドセルの購買意欲を増進させることができる。また、前記表示部２２に反射板を取付けた場合、夕暮れ時や日暮れが早い冬期の下校時に自転車や車両のライトに反射板が反射することにより、学童を交通事故から守ることができる。
【００３１】
前記装着部１３の輪郭形状を第２、３装着部１３ａ、１３ｂに示すごとく斬新なデザインにし、且つ、表示部２２を第１表示部２２ａや第２表示部２２ｂにすることで他のランドセルと差別化を図ることにより、ランドセルの所有者を明確にすることができ、且つ、学童が補助ベルトに興味を持ちランドセルの購買意欲を増進させることができる。
【００３２】
第２の補助ベルト４５は、一対のベルト本体９ａ、９ｂの一端に、該ベルト本体と同一素材で一体に連続して形成した輪状の環部５１を有した装着部５０を設け、該装着部の一側に、前記環部５１の内径を調整する調節部４８をそれぞれ設けてある。したがって、装着部５０をベルト本体９ａ、９ｂと同一素材で一体に形成したことにより、装着部５０の製造が簡単であるため製造コストが安く経済的である。  
【００３３】
また、第２の補助ベルト４５の取付けは、前記装着部５０の環部５１を調節部４８で所定内径に調整した後、背負いベルト３のベルト連結部６の先端を、環部５１の上方から挿通して幅広になる肩当て部５の下部に狭着固定する。次いで、ベルト連結部６と下ベルト（図示せず）を連結して背負いベルト３を形成する。したがって、第２の補助ベルト４５の装着部５０は、ランドセル１の使用中に背負いベルト３から脱落したり、また盗難にあう恐れはない。
【００３４】
さらに、ベルト本体９ａ、９ｂの他端に取付けた接続具３５ａの雌部片４０ａと雄部片３６ａを互いに連結する。したがって、学童の胸元で適正な位置に補助ベルト８を取付けることができるので、背負いベルト３が広がるのを防止して快適にランドセルを背負うことができる。さらには、補助ベルト８を取付けることにより低学年の学童でも登下校中にランドセルが左右に揺れることなく安定して背負うことができるので、疲れにくく快適に背負うことができる。
【符号の説明】
【００３５】
１      ランドセル
３      背負いベルト
５      肩当部
６      ベルト連結部
８      補助ベルト
９ａ、９ｂ      ベルト本体
１３、１３ａ、１３ｂ  装着部
１５、１５ａ、１５ｂ  本体
１６、１６ａ、１６ｂ  肩ベルト孔
２２、２２ａ、２２ｂ  表示部
２５、２５ａ、２５ｂ  ベルト孔
３５    接続具
３６    雄部片  
４０    雌部片
４５    第２の補助ベルト
４８    調節部
５０    装着部
５１    環部
【図１】
0003195552.tif 000003
【図２】
0003195552.tif 000004
【図３】
0003195552.tif 000005
【図４】
0003195552.tif 000006
【図５】
0003195552.tif 000007
【図６】
0003195552.tif 000008
【図７】
0003195552.tif 000009
【図８】
0003195552.tif 000010
【図９】
0003195552.tif 000011
【図１０】
0003195552.tif 000012
【手続補正書】
【提出日】平成26年11月20日(2014.11.20)
【手続補正１】
【補正対象書類名】実用新案登録請求の範囲
【補正対象項目名】全文
【補正方法】変更
【補正の内容】
【実用新案登録請求の範囲】
【請求項１】
合成繊維素材を帯状に形成した一対のベルト本体（９ａ、９ｂ）の一端に、ランドセル（１）の背負いベルト（３、３）の下部に設けた細幅のベルト連結部（６、６）に狭着固定する装着部（１３、１３、５０、５０）を一体または別体に形成し、前記ベルト本体（９ａ、９ｂ）の他端に、雌雄一対で着脱可能に形成した接続具（３５）をそれぞれ取付けてなることを特徴とするランドセル用補助ベルト。
【請求項２】
前記装着部（１３）は、ベルト本体（９ａ、９ｂ）と別体に形成した本体（１５）の中央に背負いベルト（３）のベルト連結部（６）を挿通する肩ベルト孔（１６）を形成し、一側に前記ベルト本体（９ａ、９ｂ）の一端を連結する連結孔（２５）を設けてなることを特徴とする請求項１記載のランドセル用補助ベルト。
【請求項３】
前記装着部（１３）の本体（１５）は、任意輪郭形状で表面にキャラクター図形や光に反射する反射板、または、任意形状の切り抜き模様などの表示部（２２）を設けてなることを特徴とする請求項２記載のランドセル用補助ベルト。
【請求項４】
前記ベルト本体（９ａ、９ｂ）にそれぞれ連結する雌雄一対の接続具（３５）は、一方のベルト本体（９ａ）の他端に該ベルト本体の長さを調節する調節部（３８）を介して設けた雄部片（３６）と、他方のベルト本体（９ｂ）の他端に連結した雌部片（４０）とを、着脱可能に連結してなることを特徴とする請求項１記載のランドセル用補助ベルト。
【請求項５】
前記装着部（５０）は、前記背負いベルト（３）のベルト連結部（６）に取付ける輪状の環部（５１）を前記ベルト本体（９ａ、９ｂ）の端部に連続して一体に形成してなり、前記装着部（５０）をなす環部（５１）の径を調整する調節部（４８）を、前記ベルト本体（９ａ、９ｂ）の装着部（５０）の一側寄りに設けてなることを特徴とする請求項１記載のランドセル用補助ベルト。
【請求項６】
合成繊維素材を帯状に形成した一対のベルト本体（９ａ、９ｂ）の一端に、背負いベルト（３）のベルト連結部（６）に取付ける環部（５１）を有した装着部（５０）を一体に形成し、前記ベルト本体（９ａ、９ｂ）の他端に、雌雄一対で着脱可能に形成した接続具（３５）をそれぞれ取付け、該接続具と前記装着部（５０）との間のベルト本体（９ａ、９ｂ）に前記環部（５１）の径を調整する調節部（４８、４８）をそれぞれ設けてなることを特徴とするランドセル用補助ベルト。
【請求項７】
前記ベルト本体（９ａ、９ｂ）にそれぞれ連結した雌雄一対の接続具（３５）は、一方のベルト本体（９ａ）の他端に該ベルト本体の長さを調節する調整部（５６）を介して雄部片（３６）を連結し、他方のベルト本体（９ｂ）の他端に雌部片（４０）を取付けてなることを特徴とする請求項６記載のランドセル用補助ベルト。